【事件の表示】
　特許第３１９２６０２号「歯科用診療装置」の請求項１、２に係る特許に対する特許異議の申立てについて、次のとおり決定する。
【結　論】
　訂正を認める。
　特許第３１９２６０２号の請求項１ないし２に係る特許を取り消す。
【理　由】
〔１〕手続の経緯
　特許第3192602号の請求項１、２に係る発明についての出願は、平成９年３月17日に特許出願され、平成13年５月25日にその発明についての特許権の設定登録がされ、その後、その特許について、異議申立人小林初江より特許異議の申立てがされ、取消しの理由が通知され、その指定期間内である平成14年８月８日に訂正請求がされ、再度取消しの理由が通知されたものである。
　
〔２〕訂正の適否についての判断
(1)訂正の内容
　特許権者が求めている訂正の内容は、以下のａ〜ｃのとおりである。
ア．訂正事項ａ
　特許請求の範囲の請求項１の「治療用椅子の座部昇降手段における後方のベースに固定された固定軸と、該固定軸にベアリング等を介して回転自在に取付けられた回転部材と、先端にハンドピース等を保持したドクターユニットが取付けられたパイプ状のアームとより構成し、前記アームの水平部を前記回転部材に前記固定軸より外れた位置に取付けると共に、アームの基端部にエアーホースや電源コードを挿通できるように形成したことを特徴とする歯科用診療装置。」を
「治療用椅子
における
の
、前記ベースに取付けられ前記アームが所定角度回転した時に前記回転部材が当接して回りすぎを阻止する突起と、前記治療用椅子の側面に設置されたスピットンボールを支持する起立部材に対して回転自在に取付けられたアシスタントユニットとを具備し
にし
（なお、「治療用椅子
における
の
にし
イ．訂正事項ｂ
　発明の詳細な説明の段落【0006】の記載を「本発明の歯科用診療装置は前記した目的を達成せんとするもので、その手段は、治療用椅子
における
の
、前記ベースに取付けられ前記アームが所定角度回転した時に前記回転部材が当接して回りすぎを阻止する突起と、前記治療用椅子の側面に設置されたスピットンボールを支持する起立部材に対して回転自在に取付けられたアシスタントユニットとを具備し
ウ．訂正事項ｃ
　発明の詳細な説明の段落【0008】の「ブース１」を「ベース１」と訂正する。
　
(2)訂正の目的の適否、新規事項の有無及び拡張・変更の存否
　訂正事項ａのうち「
前記ベースに取付けられ前記アームが所定角度回転した時に前記回転部材が当接して回りすぎを阻止する突起と、前記治療用椅子の側面に設置されたスピットンボールを支持する起立部材に対して回転自在に取付けられたアシスタントユニットとを具備し
　訂正事項ａのうち「治療用椅子
における
の
にし
　訂正事項ｂは、上記訂正事項ａの訂正にともない明細書の記載を整合させるものであるから、明りょうでない記載の釈明を目的とするものであり、新規事項の追加に該当しない。
　訂正事項ｃは、誤記を目的とする訂正であり、新規事項の追加に該当しない。
　そして、上記いずれの訂正事項も実質上特許請求の範囲を拡張し、又は変更するものでもない。
　
(3)むすび
　以上のとおりであるから、上記訂正は、特許法第120条の４第２項及び同条第３項において準用する同法第126条第２、３項の規定に適合するので、当該訂正を認める。
　
〔３〕特許異議申立てについての判断
　上記〔２〕で示したように上記訂正が認められるから、本件の請求項１、２に係る発明は、上記訂正に係る訂正明細書の特許請求の範囲の請求項１、２に記載された事項により特定されるとおりのものである。（平成14年８月８日付け訂正請求書及び添付された全文訂正明細書参照。）
　
　これに対して、平成14年12月16日付けで取消理由を通知し、期間を指定して意見書を提出する機会を与えたが、特許権者からは何らの応答もない。
　そして、上記取消理由は妥当なものと認められるので、本件請求項１、２に係る特許は、この取消理由によって取り消すべきものである。
　よって、結論のとおり決定する。　
【異議決定日】
平成１５年４月１７日（２００３．４．１７）
【訂正の要旨】
　（イ）特許請求の範囲における請求項１は
「治療用椅子における座部昇降手段の後方のベースに固定された固定軸と、該固定軸にベアリング等を介して回転自在に取付けられた回転部材と、先端にハンドピース等を保持したドクターユニットが取付けられたパイプ状のアームと、
前記ベースに取付けられ前記アームが所定角度回転した時に前記回転部材が当接して回りすぎを阻止する突起と、前記治療用椅子の側面に設置されたスピットンボールを支持する起立部材に対して回転自在に取付けられたアシスタントユニットとを具備し、
　なお、請求項２は前記請求項１に従属する請求項であり、かつ、請求項２については、特に、訂正をしていませんので、以下、請求項１のみについて説明致します。
　（ロ）また、特許請求の範囲と発明の詳細な説明における整合を図るため、請求書に添付の訂正明細書の通り訂正します。
　すなわち、本件発明の出願当初の明細書（以下、原本という）第２頁の段落番号０００６（特許公報第２頁左欄段落番号０００６）の【課題を解決するための手段】を「本発明の歯科用診療装置は前記した目的を達成せんとするもので、その手段は、治療用椅子における座部昇降手段の後方のベースに固定された固定軸と、該固定軸にベアリング等を介して回転自在に取付けられた回転部材と、先端にハンドピース等を保持したドクターユニットが取付けられたパイプ状のアームと、
前記ベースに取付けられ前記アームが所定角度回転した時に前記回転部材が当接して回りすぎを阻止する突起と、前記治療用椅子の側面に設置されたスピットンボールを支持する起立部材に対して回転自在に取付けられたアシスタントユニットとを具備し、
　（ハ）さらに、原本の第３頁の段落番号０００８（特許公報右欄段落番号０００８）の【発明の実施の形態】を「以下、本発明に係る歯科用診療装置の実施の形態を図面と共に説明する。
　図１、図２は歯科用診療装置の全体を示す正面図、平面図を示し、１は床面に固定されるベース、２は該ベース１に固定され、診療用椅子３を昇降および回動させる駆動装置、４は前記
ベース１
（５４）【発明の名称】
歯科用診療装置
（５７）【特許請求の範囲】
　【請求項１】　治療用椅子における座部昇降手段の後方のベースに固定された固定軸と、該固定軸にベアリング等を介して回転自在に取付けられた回転部材と、先端にハンドピース等を保持したドクターユニットが取付けられたパイプ状のアームと、
前記ベースに取付けられ前記アームが所定角度回転した時に前記回転部材が当接して回りすぎを阻止する突起と、前記治療用椅子の側面に設置されたスピットンボールを支持する起立部材に対して回転自在に取付けられたアシスタントユニットとを具備し、
　【請求項２】　前記アームの垂直部には複数のリング状溝が形成されたパイプ状の補助アームが摺動自在に挿入されると共に、該補助アームの外周と前記アームの内周との間にストッパリングが挿入されるように構成し、前記ストッバリングには前記補助アームのリング状溝と係合されるリング状突条が形成されると共に割り溝が形成され、前記ストッパリングのリング状突条を前記補助アームにおける所望のリング状溝に係合した状態でストッパリングをアーム内に嵌合することでアームに対して補助アームの高さを異ならしめて固定できるようにしたことを特徴とする項１記載の歯科用診療装置。
【発明の詳細な説明】
　【０００１】
　【発明の属する技術分野】
　本発明は歯科医師における診療において、患者の歯を治療するときに使用するハンドピースが保持されているドクターユニットを、患者が着座する治療用椅子のベースに回転自在に取付けた歯科用診療装置に関する。
　【０００２】
　【従来の技術】
　歯科医師おける治療は、患者を治療用椅子に腰掛けさせた起立状態、背凭れを伏倒して患者を仰臥させた状態、あるいはその中間の状態で行うものであり、かつ、治療用椅子を左右方向に回転させて行うものである。そこで、前記治療に使用するハンドピースを保持したドクターユニットは、治療用椅子に対して前後、左右方向に自由に移動可能であることが必要である。
　【０００３】
　従来における、この種のドクターユニットとしては、本出願人が出願した実公平７−１０７４０号公報に開示したものがある。この公報の技術は、治療用椅子のベースに円弧状のガイドレールを取付け、該ガイドレールに案内され移動する移動台にドクターユニットのアームを取付けたものである。
　【０００４】
　【発明が解決しようとする課題】
　ところで、前記したドクターユニットの移動手段にあっては、ガイドレールをベースに取付けるためにベースが大きくなってしまうといった問題があり、また、ドクターユニットに保持されるハンドピースへのコード類が邪魔になると共に、コストも高くなってしまうといった問題があった。
　【０００５】
　本発明は前記した問題点を解決せんとするもので、その目的とするところは、ドクターユニットのアームの基端を治療用椅子のベースに対して１軸回転としたことにより、ベースを大きくする必要がなく、かつ、使用に際して容易に回動できると共に上下動が行え、また、ハンドピースへのコード類をアーム内に挿通できてコード類を整然と処理できて邪魔になることがないと共に、コストの低減を図ることができ歯科用診療装置を提供せんとするにある。
　【０００６】
　【課題を解決するための手段】
　本発明の歯科用診療装置は前記した目的を達成せんとするもので、その手段は、治療用椅子における座部昇降手段の後方のベースに固定された固定軸と、該固定軸にベアリンクを介して回転自在に取付けられた回転部材と、先端にハンドピース等を保持したドクターユニットが取付けられたパイプ状のアームと、
前記ベースに取付けられ前記アームが所定角度回転した時に前記回転部材が当接して回りすぎを阻止する突起と、前記治療用椅子の側面に設置されたスピットンボールを支持する起立部材に対して回転自在に取付けられたアシスタントユニットとを具備し、
　【０００７】
　また、前記アームの垂直部には複数のリング状溝が形成されたパイプ状の補助アームが摺動自在に挿入されると共に、該補助アームの外周と前記アームの内周との間にストッパリングが挿入されるように構成し、前記ストッバリングには前記補助アームのリング状溝と係合されるリング状突条が形成されると共に割り溝が形成され、前記ストッパリングのリング状突条を前記補助アームにおける所望のリング状溝に係合した状態でストッパリングをアーム内に嵌合することでアームに対して補助アームの高さを異ならしめて固定できるようにしたものである。
　【０００８】
　【発明の実施の形態】
　以下、本発明に係る歯科用診療装置の実施の形態を図面と共に説明する。
　図１、図２は歯科用診療装置の全体を示す正面図、平面図を示し、１は床面に固定されるベース、２は該ベース１に固定され、診療用椅子３を昇降および回動させる駆動装置、４は前記
ベース１
　【０００９】
　図３〜図５はドクターユニット７を前記ベース１に対して約４０度の範囲で回動自在に支持する支持機構を示す平面図と、図３のＡ−Ａ，Ｂ−Ｂ線断面図である。前記ベース１には筒状の固定軸８をネジ８ａで固定し、この固定軸８の上下にベアリング９を介して側面形でコ字状の回転部材１０をベアリングナット１１と共に取付ける。
　【００１０】
　そして、この回転部材１０に図１に示すＬ字状に折曲されたパイプ状のアーム１２の基端を溶着等の手段で固定し、回転部材１０や固定軸８を覆うカバー１３を装着して、内部に埃等が入ってベアリング９が回りにくくなるのを防止している。また、前記ベース１には突起１４が取付けられていて、アーム１２が所定角度回転した時に、回転部材１０が当接して回りすぎるのを防止している。従って、アーム１２は固定軸８に対して所定角度（約４０度）の範囲内で水平方向に回動自在となっている。
　【００１１】
　前記アーム１２の垂直部の上端には同じくＬ状に形成された補助アーム１５の垂直部下端が摺動自在に挿入されている。この補助アーム１５の外周面には複数個のリング状溝（図示のものは２個）１５ａが刻設されている。また、前記アーム１２の上端開口部には、割溝１６ａを有すると共に内周面に前記補助アーム１５のリング条溝１５ａが嵌入するリング状の突条１６ｂが形成され、かつ、断面テーパ状に形成されたストッパリング１６の該テーパ部１６ｃが挿入されている。そして、このストッパリング１６内を介して前記補助アーム１５の下端がアーム１２内に挿入される。
　【００１２】
　なお、１７はドクターユニット７の保持部７ａに垂下されたハンドピースにして、該ハンドピース１７に接続されている高圧のエアーホースや電源コード１７ａは補助アーム１５およびアーム１２内に挿通され、アーム１２の基端から導出されてエアーポンプや電源に接続されている。
　【００１３】
　次に、このように構成した本発明に係る歯科診療装置の使用方法について説明する。
　先ず、患者を治療用椅子３に着座させ、治療を行う場合には、治療用椅子の背凭れを伏倒させ、歯科医師が伏倒した患者の頭部に移動した後に、ドクターユニット７を手前に引き寄せると、固定軸８に対して回転部材１０がベアリング９によってスムースに回転し、該回転部材１０に固定されているアーム１２が突起１４に当接するまで回転し、さらに、補助アーム１５をアーム１２に対して回動して、ドクターユニット７を治療の最適位置まで移動する。
　【００１４】
　従って、医師は治療のし易い位置までドクターユニット７を近づけることにより、該ドクターニット７に保持されているハンドピース１７を引き出して治療を行うことができる。また、ドクターユニット７の高さ位置が医師の治療における最適位置でなかった場合には、ストッパーリング１６をアーム１２から上方に引き出し、補助アーム１５に形成されているリング状溝１５ａとストッパーリング１６のリング状突条１６ｂの係合位置をずらし、再び、ストッパーリング１６をアーム１２内に差し込むと、該ストッパーリング１６が直径が縮小されて補助アーム１５をアーム１２に固定でき、補助アーム１５の高さ、すなわち、ドクターユニット７の高さを可変できる。
　【００１５】
　また、ハンドピース１７へのエアーホースや電源コード１７ａは、補助アーム１５とアーム１２内に挿通されているので、治療時におけるホースやコードが治療の邪魔になることがなく、かつ、患者の治療用椅子３への移動時や退出時に、患者がホースやコードに引っ掛かることもないものである。
　【００１６】
　なお、医師による治療時において、アシスタントはアシスタントユニット５を使用し易い位置まで回動して、医師による治療の補助作業を行い、また、患者の治療用椅子３への進入時や退出時に、デンタルライト用のライトアーム６が邪魔になる場合には、水平部６ａを回動して治療用椅子３の上面から退避させることにより、スムースに患者の進入、退出が行える。
　【００１７】
　そして、治療が終了したなら、ドクターユニット７を患者の退出の邪魔にならない位置まで回動し、次いで、背凭れを起立させて患者に嗽を促し、ライトアーム６の水平部６ａが邪魔となる場合には、該水平部６ａを回動して治療用椅子３から退避させて、患者を退出させる。
　【００１８】
　【発明の効果】
　本発明は前記したように、ドクターユニットのアームの基端を治療用椅子のベースに対して１軸回転としたことにより、ベースを大きくする必要がなく、かつ、使用に際して容易に回動できるので、設置スペースを小さくできると共にコストの低下を図ることができる。
　【００１９】
　また、アームの垂直部を２分割し、この２分割した部分においてスライド自在で、かつ、固定自在としてドクターユニットの高さ位置を調整できるようにしたので、治療用椅子の高さや医師の身長に合わせてドクターユニットを設定でき、従って、治療時におけるハンドピースの使用勝手が良くなる。
　【００２０】
　さらに、ハンドピースへのエアーホースや電源コード等をアーム内に挿通したことにより、該ホースやコードを整然と処理ができ、邪魔になることがなく、従って、医師による治療時や患者の治療用椅子への進入や退出時にコードが引っ掛かったりすることがない等の効果を有するものである。
【図面の簡単な説明】
　【図１】
　本発明に係る歯科用診療装置の全体を示す正面図である。
　【図２】
　同上の平面図である。
　【図３】
　アーム回転部分の平面図である。
　【図４】
　同上のＡ−Ａ線断面図である。
　【図５】
　同上のＢ−Ｂ線断面図である。
　【図６】
　アームと補助アームとの接続部分の分解斜視図である。
　【図７】
　同上の半断面図である。
　【符号の説明】
　１　　　　　ベース
　３　　　　　治療用椅子
　７　　　　　ドクターユニット
　８　　　　　固定軸
　１０　　　　回転部材
　１２　　　　アーム
　１５　　　　補助アーム
　１６　　　　ストッパーリング
　１７　　　　ハンドピース